(57)【要約】【課題】室内に設置する空気還流器を、簡易に昇降することにより、目的に応じて冷房又は暖房を兼用して行う室内冷暖房法を提供する。【解決手段】冬季暖房時と夏季冷房時に、省エネ目的のため、室内に生じた温度差による比重の差で自然に分離される暖冷空域内に、冬季，夏季に、空気還流器を簡易に昇降せしめて、夫々の暖空域内，冷空域内を選んで位置決めすることにより、空気還流器を目的に応じて暖冷兼用して、冷房時には天井付近の暖気はそのままにして、冷気は人間の行動範囲である下方の冷房区域のみを循環させるようにしたことを特徴とした。【選択図】図１
2012083093.tif 000002
【特許請求の範囲】
【請求項１】
冬季暖房時と夏季冷房時に、省エネ目的のために、室内に生じた温度差による比重の差で自然に分離される暖冷空域内に、冬季，夏季毎に、空気還流器を簡易に昇降せしめて、夫々の暖空域内，冷空域内を選んで位置決めすることにより、空気還流器を目的に応じて冷房時と暖房時を兼用して、冷房時には天井付近の暖気はそのままにして冷気は人間の行動範囲である下方の冷房区域のみを循環させることを特徴とした空気還流器を昇降させて冷房時と暖房時を兼用せしめる室内冷暖房法。
【発明の詳細な説明】
【技術分野】
【０００１】  本発明は、夏季や冬季、室内空気の温度差により、室内に自然に分離される暖冷空域内に位置決め設置する空気還流器を、簡易に昇降することにより、目的に応じて冷房又は暖房を兼用して行う室内冷暖房法に関する。
【背景技術】
【０００２】  近年の家電における技術の向上により、冷暖房機器の省エネ効果は著しく向上し、１０年以前と比較すると３０％から４０％以上の冷暖房効果の省エネが進歩している。しかるに、これら進歩した冷暖房機も室内空気の循環に対しては、未だに室内の上下や前後左右を均等にすることが出来ず、その結果、室内の温度差がかなり生じていることも事実である。【０００３】  夏季高温の室内では、暖房器により暖房を行った場合と同様に、高温で比重が小さい温暖空気が、上昇して天井付近に滞留することは、自然現象として知られている。【０００４】  一般に、室内の同一空間内に高温の暖気と低温の冷気が同時に共存する場合、その温度差による空気の比重の差によって、自然に境界層が形成され、空域が分離される。即ち、分離状態のまま互いに混和しないで、比重の小さい温暖空気が天井面に近い上方に滞留して暖気空域を作り、比重の大きい低温の空気が下方に流動して冷気空域を作る。【０００５】  暖房又は冷房の効果を促進して省エネルギー化するため、小型送風機等の空気還流器を天井付近に設置すると同時に、建物中間付近に吊り下げた架台に設置した空気還流器に中継ぎさせて室内空気を還流均一化することは、特許第２９６７２６７号（特許文献１）によって既に提案されてはいるが、これは、工場など大規模建物に対応して発明されたもので、空気還流器は、最初から暖房用としては天井屋根裏に設置し、冷房用には建物中間位置に吊り下げた架台に設置して大掛かりな設備を必要としているものである。【０００６】  室内の同一空間内に高温の暖気と低温の冷気が同時に共存する場合、この上下前後左右の空気温度を均一にして室内の温度差をなくすべく改良したものに、特許第３０３２８８６号（特許文献２）暖房空気の室内均一法の提案がある。【０００７】  これは、機器からの放出空気を、出来るだけ拡散を抑えて真っ直ぐ飛ぶように、特殊な筒装置を施した小型送風機を天井下から床面に噴射するようにして、複数台設置する事により、室内の空気を上下に循環させて上下の温度差を少なくすることに成功したもので、人間の行動範囲外である天井下に無駄に滞留する暖房熱を吹き降して、大幅な省エネ効果が生まれることを証明したものである。
【先行技術文献】
【０００８】
【特許文献１】特許第２９６７２６７号
【特許文献２】特許第３０３２８８６号
【発明の概要】
【発明が解決しようとする課題】
【０００９】  通常の建物では、特許文献１のような空気還流器を天井と中間に二重に配列するなどの大掛かりな設備は必要とはせず、むしろ、簡単に空気還流器を兼用して使用することが望まれる。【００１０】  室内の温度関係が逆になる冷房時には、特許文献２の装置では温度ムラの少ない環境に優しい冷気を得ることは出来ても、結果的に人の行動範囲外の天井下に滞留する熱気をも冷やすことになるので、冷房エネルギーの省エネにはかなり難しいと考えられる。
【課題を解決するための手段】
【００１１】  本発明は、冬季暖房時と夏季冷房時に、省エネ目的のため、天井の高い家屋の室内均一化を図る場合、室内に生じた温度差による比重の差で自然に分離される暖冷空域内に、冬季，夏季に、空気還流器を簡易に昇降せしめて、夫々の暖空域内，冷空域内を選んで位置決めすることにより、空気還流器を目的に応じて暖冷兼用して、冷房時には天井付近の暖気はそのままにして、人間の行動範囲である下方の冷房区域のみを循環させることを特徴としたものである。
【発明の効果】
【００１２】  本発明は、夫々必要に応じて上方の暖気空域内か下方の冷気空域内に、小型送風機等の空気還流器を簡易に昇降せしめて室内空気の還流を行い、冷房時には天井付近の暖気はそのままにして、人間の行動範囲である下方の冷房区域のみを循環させることで、省エネルギー化を実現し得たもので、比較的天井の高い家屋に適用するものであり、冬季暖房時と，夏季冷房時に、夫々に暖房，冷房の対応操作を極めて簡単に切り替え可能とし、操作が容易である効果と共に、暖冷房機器の動力負担が極めて軽減される効果がある。
【図面の簡単な説明】
【００１３】
【図１】  本発明実施例の冷房時の状態を示す正面図である
【図２】  本発明実施例の暖房時の状態を示す正面図である
【発明を実施するための最良の形態】
【００１４】  冬季、室内暖房機器の稼動により、天井近くに滞留した暖気空域の暖気を取り込んで室内を還流せしめて室内空気を均一にする空気還流器は、天井近くに滞留した暖気空域の暖気の中に設置して、流下せしめる温暖気流を下方の冷気内に流動せしめ、冷暖空気を混和しながら室内空気を均一にする【００１５】  一方、夏季には、冷房機の稼動による冷気を空気還流器によって室内を還流せしめる時は、天井に設置した空気還流器が天井面に滞留した暖気空域の暖気も取り込んで、冷気が流動する下方の冷気空域内に混和状態で還流せしめることになり、空気還流器の稼動の動力負担が極めて大きいものとなる。従って、空気還流器は、冷気が流動する下方の冷気空域だけに設置すればよいことになる。【００１６】  そこで、特許文献２の特殊な筒装置を施した小型送風機を床面に噴射するようにして、天井下に複数ぶら下げ、すべての小型送風機の噴出孔を、冷房時に限り、人の行動範囲である床上２ｍから２．５ｍ位まで下げる。すると温度差による比重の関係で天井下に滞留した熱い空気はそのままで、人の行動範囲にのみ冷気は循環し、その結果大幅に冷房エネルギーの省エネになり、且つ、人間の行動範囲の温度差も略均一になる。【００１７】  この場合、全部の小型送風機の昇降には、自動，手動に関係ないが、等しい高さに揃えることが必須条件である。【００１８】  本発明は、室内に生じた温度差による比重の差で自然に分離される暖冷空域を利用して、夫々の暖冷空域内に、冬季暖房時と夏季冷房時に、冷暖目的に応じて空気還流器を昇降して位置決めし、空気還流器を兼用して室内空気を還流せしめるもので、空気還流器の設置は固定化せず、１個又は数個を水平に並列して、必要に応じて上下に昇降移動させて、冷暖用に簡単に兼用させるものであり、夏は天井面に滞留した暖気空域の暖気はそのままにして、冷気空域の中に移動せしめた空気還流器で下方の冷気のみを還流せしめて、冷房の動力を節減し、省エネ効果を大きくする効果を得たものである。【００１９】  即ち、冬季暖房時に於いては、空気還流器は常時天井にくっつけて設置保持して天井付近の温暖空気を室内全体に混合還流作動させることに重きを置き、夏季冷房時には、天井面に滞留した暖気空域の下側の比重の大きい冷気の空域に、空気還流器を降下移動させ、冷気空域の中で還流作用を行わせる冷房の対応操作を極めて簡単に切り替え可能とし、空気還流器を掃除する時は、床面にまで降下されば良いなど、一連の操作が極めて容易である効果がある。【００２０】  実施例として、図１は、冷房時の小型送風機等の空気還流器の操作状態を示す正面図である。図１に於いて、（１）は、先端におもり（２）を懸吊し、滑車（３），（３）で天井裏に張架した曳き綱で、基端は昇降機（４）に巻き込むようにしてある。【００２１】  曳き綱（１）には１個又は数個の空気還流器（５）を夫々懸吊綱（６）で縛着懸吊してあり、夏季冷房時には、昇降機（４）を操作して空気還流器（５）を室内下方の冷気空域まで降下移動させ、天井付近に自然に滞留する温暖気はそのままにして、比重の重い下方の冷気空域内でのみ空気還流器（５）を稼動させて効果的に還流冷房を行う。【００２２】（Ａ）は冷暖房機を示し��。【００２３】  図２は、冬季暖房時の正面図で、昇降機（４）を緩め、おもり（２）がその重さのまま下降するにまかせて、曳き綱（１）を曳き込み、これに縛着懸吊してある空気還流器（５）を天井付近まで引き上げて、そのままおもりの重さで保持しながら稼動して暖房を行う。【００２４】空気還流器（５）は、常時は、おもりの自然の重力作用で、動力なしに天井付近まで引き上げ設置状態を保持することが基本で、夏季冷房時にのみ昇降機（４）の動力を必要とする。【００２５】  天井面に冷暖房機器が設置され噴気孔が下向きになっている場合には、実施例として、冷房機器より一回り大きい筒状の断熱性のあるシート等で、下ろした小型送風機の噴出孔と同じ高さまで囲い、天井下に滞留する熱気を遮断することも良い。なお、冷房機器の温度センサーを同じく冷房時のみ下がった位置で感知するようにしたほうがよい。【００２６】  又、小型送風機の上下動は、部屋単位で、各個同時に一斉に同じ高さに昇降するのが望ましく、かつ小型送風機の直進風が床面で四散し、並列する送風機の風や壁に当って循環して来る上向き気流が強過ぎて、天井面に滞留するかき回したくない熱い空気層まで貫通しないように、暖房時よりは高さに応じて弱くし、温度センサーも下げて、すべての小型送風機の風速の強弱をコントロール出来る装置である方が良い。【００２７】  この冷房促進装置は、比較的天井が高く、面積の広いスーパーマーケットやホームセンター，オフィス，倉庫，工場に向いているが、住宅の吹き抜け等にも応用できるものである。
【符号の説明】
【００２８】１  曳き綱
２  おもり
３  滑車
４  昇降機
５  空気還流器
６  懸吊綱
【図１】
2012083093.tif 000003
【図２】
2012083093.tif 000004